(57)【要約】      （修正有）【課題】容易に光ファイバ心線を取り出すことが可能となるドロップ光ファイバケーブルを提供する。【解決手段】離間する２本の抗張力体２の間に複数本の光ファイバ心線３が配置され、それらの外周に被覆５が施されたケーブル本体と、支持線１の外周に被覆が施された支持線部と、抗張力体、光ファイバ心線及び支持線が同一平面上に配置されるようケーブル本体と支持線部とを連結する首部６とからなるドロップ光ファイバケーブルにおいて、光ファイバ心線の両側位置であってケーブル本体の被覆の表面に楔形状の切欠からなるノッチ４が形成され、ノッチが設けられた側のケーブル本体の長径をＬ、ノッチの開口部の幅をＷとしたとき、Ｌ＜２．５Ｗの関係を満たす。【選択図】図１
2005055572.tif 000002
【特許請求の範囲】
【請求項１】
離間する２本の抗張力体の間に複数本の光ファイバ心線が配置され、それらの外周に被覆が施されたケーブル本体と、支持線の外周に被覆が施された支持線部と、前記抗張力線、前記光ファイバ心線及び前記支持線が同一平面状に配置されるように前記ケーブル本体と前記支持線部とを連結する首部とからなるドロップ光ファイバケーブルにおいて、前記光ファイバ心線の両側位置であって前記ケーブル本体の被覆の表面に楔形状の切欠からなるノッチが形成され、該ノッチが設けられた側のケーブル本体の長径をＬ、前記ノッチの開口部の幅をＷとしたとき、Ｌ＜２．５Ｗの関係を満たすことを特徴とするドロップ光ファイバケーブル。
【請求項２】
離間する２本の抗張力体の間に複数本の光ファイバ心線が配置され、それらの外周に共通被覆が施されたインドア光ファイバケーブルにおいて、前記光ファイバ心線の両側位置であって前記ケーブルの被覆の表面に楔形状の切欠からなるノッチが形成され、該ノッチが設けられた側のケーブルの長径をＬ、前記ノッチの開口部の幅をＷとしたとき、Ｌ＜２．５Ｗの関係を満たすことを特徴とするインドア光ファイバケーブル。
【請求項３】
複数本の光ファイバ心線が、それらをテープ状に加工したテープ状光ファイバ心線である請求項１又は２に記載の光ファイバケーブル。
【発明の詳細な説明】
【技術分野】
【０００１】
本発明は、ＦＴＴＨ（Fiber To The Home）などに用いるドロップ光ファイバケーブル及びインドア光ファイバケーブルに関するものである。
【背景技術】
【０００２】
従来、ドロップ光ファイバケーブルとしては、例えば図３に示すように、２本の抗張力体２、２の間に単心または２本の光ファイバ心線３を配置し、これらを一括被覆したケーブル本体と、外周に被覆を施した支持線１とを、首部で連結した構造が提案されている。
【０００３】
なお、図３に示した例では、ケーブル本体の一括被覆、支持線１の被覆及び首部は、オレフィン系熱可塑性樹脂や塩化ビニルなどの材料からなる一括押出しにより共通被覆５として形成されたものである。
【０００４】
支持線１には、例えば直径１．２mmの単鋼線などが用いられ、光ファイバ心線３の両側に位置する抗張力体２、２には、直径０．４mmから０．７mmの鋼線または非導電性の高分子材料などが用いられる。
【０００５】
光ファイバ心線が位置する一括被覆の外表面には、光ファイバ心線３を取り出しやすくするために、ノッチ４、４が設けられている。ノッチの幅寸法は約０．７mmから１mm程度である（特許文献１）。
【特許文献１】特開平１０−１４８７３７号公報
【発明の開示】
【発明が解決しようとする課題】
【０００６】
従来のドロップ光ファイバケーブルのノッチ形状・寸法では、一括被覆５と光ファイバ心線３が強固に密着している場合には、光ファイバ心線３を容易に取り出すことができず、余分な施工時間を要することがあった。光ファイバ心線３がテープ状光ファイバ心線の場合には、そのテープ状光ファイバ心線が破損することもあった。また、密着した心線を無理に手や工具などで取り出そうとすると、光ファイバ心線３の表面に傷がつき、信頼性が著しく損なわれる危険性もあった。
【０００７】
本発明は、上記した従来技術に鑑みなされたものであり、２本以上の光ファイバ心線を配列したドロップ光ファイバケーブルにおいて、容易に光ファイバ心線を取り出すことが可能となるドロップ光ファイバケーブルを提供することにある。
【課題を解決するための手段】
【０００８】
本発明は、離間する２本の抗張力体の間に複数本の光ファイバ心線が配置され、それらの外周に被覆が施されたケーブル本体と、支持線の外周に被覆が施された支持線部と、前記抗張力線、前記光ファイバ心線及び前記支持線が同一平面状に配置されるように前記ケーブル本体と前記支持線部とを連結する首部とからなるドロップ光ファイバケーブルにおいて、前記光ファイバ心線の両側位置であって前記ケーブル本体の被覆の表面に楔形状の切欠からなるノッチが形成され、該ノッチが設けられた側のケーブル本体の長径をＬ、前記ノッチの開口部の幅をＷとしたとき、Ｌ＜２．５Ｗの関係を満たすことを特徴とするドロップ光ファイバケーブルである。
【０００９】
また、本発明は、離間する２本の抗張力体の間に複数本の光ファイバ心線が配置され、それらの外周に共通被覆が施されたインドア光ファイバケーブルにおいて、前記光ファイバ心線の両側位置であって前記ケーブルの被覆の表面に楔形状の切欠からなるノッチが形成され、該ノッチが設けられた側のケーブルの長径をＬ、前記ノッチの開口部の幅をＷとしたとき、Ｌ＜２．５Ｗの関係を満たすことを特徴とするインドア光ファイバケーブルである。
【００１０】
なお、上記複数本の光ファイバ心線は、それらをテープ状に加工したテープ状光ファイバ心線であってもよい。
【発明の効果】
【００１１】
以上に説明した通り、本発明によれば、ドロップ光ファイバケーブルやインドア光ファイバケーブルにおいて、光ファイバ心線の多心化を実施しても、良好な心線口出し性を得ることができる。
【発明を実施するための最良の形態】
【００１２】
以下、本発明の実施の形態を図示した図面に基づいて詳細に説明する。
【００１３】
第１図は、本発明の一実施形態を示す断面図である。本実施形態のドロップ光ファイバケーブルは、２本の抗張力体２、２の間に単心または２本の光ファイバ心線３を配置し、これらを一括被覆したケーブル本体と、外周に被覆を施した支持線１とを、首部で連結した構造である。
【００１４】
なお、ケーブル本体の一括被覆、支持線１の被覆及び首部は、オレフィン系熱可塑性樹脂や塩化ビニルなどの材料からなる一括押出しにより共通被覆５として形成されたものである。
【００１５】
支持線１には、例えば直径１．２mmの単鋼線などが用いられ、光ファイバ心線３の両側に位置する抗張力体２、２には、直径０．４mmから０．７mmの鋼線または非導電性の高分子材料などが用いられる。
【００１６】
光ファイバ心線が位置する一括被覆の外表面には、光ファイバ心線３を取り出しやすくするために、楔形状の切欠からなるノッチ４、４が設けられており、図２に示すように（但し、支持線１及び首部６を省略）、ノッチ４が設けられた側のケーブル本体の長径をＬ、ノッチ４の開口部の幅をＷとしたとき、Ｌ＜２．５Ｗの関係を満たすようにノッチ４の開口部の幅Ｗが設定されている。
【００１７】
図４は、ノッチ４の開口部の幅Ｗを変化させたドロップ光ファイバケーブルを試作して、実際に光ファイバ心線の取り出しやすさ（口出し性）の確認を実施した結果を示すものである。なお、ドロップ光ファイバケーブルの心線を取り出す際は、ニッパなどの工具を用いて数mm程度ノッチに切りこみを入れ、手で抗張力体を左右に引っ張ることで心線を取り出すようにした。
【００１８】
図４に示す結果のとおり、Ｌ＜２．５Ｗを満たす条件であれば口出し性を満足することがわかった。
【００１９】
なお、上記実施形態ではドロップ光ファイバケーブルについて述べたが、本発明はこれに限らず、支持線及び首部が無いインドア光ファイバケーブル（図２に示す構造）のノッチにも適用可能である。
【図面の簡単な説明】
【００２０】
【図１】本発明のドロップ光ファイバケーブルの一例を示す断面図である。
【図２】本発明のドロップ光ファイバケーブルのノッチ部を示す断面図である。
【図３】従来のドロップ光ファイバケーブルを示す断面図である。
【図４】本発明のドロップ光ファイバケーブルの口出し性の試験結果を示す説明図である。
【符号の説明】
【００２１】
１  支持線
２  抗張力体
３  光ファイバ心線
４  ノッチ
５  被覆
６  首部
【図１】
2005055572.tif 000003
【図２】
2005055572.tif 000004
【図３】
2005055572.tif 000005
【図４】
2005055572.tif 000006